(57)【特許請求の範囲】
【請求項１】
照明器具と、前記照明器具をワイヤで昇降自在に吊り下げるリーラと、前記リーラの近傍に配置され、前記照明器具からのコードを巻取りおよび巻出し自在に収納するとともにコードを常に上方に引張るコードリールと、前記リーラと前記照明器具との間における照明器具寄りの位置でワイヤに固定されるとともに、照明器具との間でコードを弛ませてコードに固定される傾き防止手段とを備えたことを特徴とする昇降機付照明器具。
【請求項２】
照明器具と、前記照明器具をワイヤで昇降自在に吊り下げるリーラと、前記リーラの近傍に配置され、前記照明器具からのコードを巻取りおよび巻出し自在に収納するとともにコードを常に上方に引張るコードリールと、前記照明器具の上端中央に取り付けられコードの中間部およびワイヤの中間部が挿通される傾き防止手段とを備えたことを特徴とする昇降機付照明器具。
【請求項３】
前記傾き防止手段は、鉛直方向に沿って中心に形成された溝および中心から側面の一部に亘りカットされた部分にそれぞれ前記ワイヤおよび前記コードが挿通され、鉛直方向の軸回りに回転可能になっていることを特徴とする請求項２記載の昇降機付照明器具。
【発明の詳細な説明】
【０００１】
【発明の属する技術分野】
本発明は、昇降自在に吊り下げられる昇降機付照明器具に関するものである。
【０００２】
【従来の技術】
従来、昇降自在に吊り下げられる昇降機付照明器具が種々市販されており、例えば、特開平９−２８８９１０号公報には、図１１に示すように、照明器具８０と、照明器具８０の吊下げ用ワイヤＷ８およびその吊下げの中心となるワイヤＷ８の周囲に設けられた螺旋状のコードＣ８を有する昇降機８１とにより構成されたものが開示されている。
【０００３】
また、図１２に示すように、照明器具の吊下げ用で所定距離離間したワイヤＷ９１，Ｗ９２を２本有し、これら２本のワイヤＷ９１，Ｗ９２の中心に照明器具のコードＣ９が配置される昇降機９１が提案されている。
【０００４】
【発明が解決しようとする課題】
図１１に示す昇降機８１では、吊下げの中心となるワイヤＷ８の周囲に螺旋状のコードＣ８を配置することにより、鉛直方向に沿った照明器具８０のまっすぐな吊下げが可能になっている。しかしながら、螺旋状のコードＣ８が照明器具８０の上部と昇降機８１の下部との間に配置されることから、螺旋状のコードＣ８自体に邪魔されて照明器具８０を昇降機８１の下部近傍まで上昇させることができず、照明器具８０の昇降可能範囲が制限されていた。
【０００５】
一方、図１２に示す昇降機９１では、昇降機９１の内部に照明器具からのコードＣ９の巻取りおよび巻出し用のコードリール９５が設けられていることから、照明器具をコードＣ９に邪魔されることなく昇降機９１の下部近傍まで上昇させることが可能となる。また、照明器具が所定距離離間した２本のワイヤＷ９１，Ｗ９２で吊り下げられ、これら２本のワイヤＷ９１，Ｗ９２の中心にコードＣ９が配置されているので、鉛直方向に沿った照明器具のまっすぐな吊下げが可能になる。しかしながら、図からも分るように昇降機９１の機構が大きくなり、これに応じてコスト高となる問題がある。
【０００６】
本発明は、上記事情に鑑みてなされたものであり、鉛直方向に沿った照明器具のまっすぐな吊下げが可能で照明器具の昇降可能範囲が広く、コンパクトで安価な昇降機付照明器具を提供することを目的とする。
【０００７】
【課題を解決するための手段】
上記課題を解決するための本発明は、照明器具と、前記照明器具をワイヤで昇降自在に吊り下げるリーラと、前記リーラの近傍に配置され、前記照明器具からのコードを巻取りおよび巻出し自在に収納するとともにコードを常に上方に引張るコードリールと、前記照明器具側に設けられ、鉛直方向に対する前記照明器具の傾きを防止する傾き防止手段とを備えたものである。傾き防止手段としては、前記リーラと前記照明器具との間における照明器具寄りの位置でワイヤに固定されるとともに、照明器具との間でコードを弛ませてコードに固定されるものと、前記照明器具の上端中央に取り付けられコードの中間部およびワイヤの中間部が挿通されるものとがある。
【０００８】
この構成では、照明器具が傾き防止手段によって鉛直方向に沿ってまっすぐ吊り下げられるようになる。また、リーラおよびコードリールによってそれぞれワイヤおよびコードが巻き取られるので、照明器具の昇降可能範囲が広くなる。さらに、リーラおよびコードリールがそれぞれ１個使用される構成によって、リーラおよびコードリールによりなる昇降機がコンパクトな構成となるとともにコストの低減が可能になる。
【０００９】
なお、前記照明器具の上端中央に取り付けられコードの中間部およびワイヤが挿通される前記傾き防止手段は、鉛直方向に沿って中心に形成された溝および中心から側面の一部に亘りカットされた部分にそれぞれ前記ワイヤおよび前記コードが挿通され、鉛直方向の軸回りに回転可能になっているものでもよい。この構成によれば、照明器具は、吊下げ時において、鉛直方向の軸回りの所望する位置に静止するようになる。
【００１０】
【発明の実施の形態】
図１は本発明の第１実施形態に係る昇降機付照明器具の斜視図、図２は昇降機の分解斜視図で、以下これらの図を用いて第１実施形態について説明する。
【００１１】
本昇降機付照明器具は、図１に示すように、パラボラ状のかさを有する照明器具１０、この照明器具１０を昇降可能に天井から吊り下げる昇降機１１、および照明器具１０の吊下げ状態調整用の調整具（傾き防止手段）１９により構成されている。
【００１２】
昇降機１１は、図２に示すように、外部電源から先行配線された電線（図示しない）と接続される引掛シーリング１２ａおよびこの両側に設けられたねじ部１２ｂを有し天井に取り付けられる取付金具１２と、各ねじ部１２ｂに対応する袋ナットＮによって取付金具１２にねじ止めされるコ字状の昇降機本体１３と、この昇降機本体１３に固定ないし一体に形成され、照明器具１０をワイヤＷ１で昇降自在に吊下げるリーラ１４と、昇降機本体１３に固定ないし一体に形成されてリーラ１４の近傍に配置され、照明器具１０に一端が接続されたコードＣ１を巻取りおよび巻出し自在に収納するコードリール１５と、コードＣ１の他端側に相当するコードＣ２の他端に接続され、この他端を引掛シーリング１２ａに電気的に接続する接続器具１６と、ワイヤＷ１およびコードＣ１挿通用の貫通孔ＴＨ１およびＴＨ２がそれぞれ底部中央およびこの近傍に形成され、取付金具１２に取り付けられた昇降機本体１３、リーラ１４、コードリール１５および接続器具１６を閉塞するカバー１７とにより構成されている。なお、昇降機本体１３には、各ねじ部１２ｂ挿通用の貫通孔１３ａが形成されている。
【００１３】
図３（ａ）および（ｂ）はそれぞれ調整具１９の取付け前後の斜視図で、この調整具１９は、一端側（図では左側）を接触および離間自在に他端側が接続されたミラー対称形状の部材１９１，１９２により構成されている。これら部材１９１，１９２の一端側の接触面側にはそれぞれコードＣ１固定用の孔を構成する溝１９１ａ，１９２ａが形成されている一方、他端側の接触面側にはそれぞれワイヤＷ１固定用の孔を構成する溝１９１ｂ，１９２ｂが形成されている。
【００１４】
ここで、コードＣ１およびワイヤＷ１への調整具１９の取付固定の手順と作用とについて、図４および図５をさらに用いて説明する。まず、調整具１９を使用しなければ、コードＣ１がコードリール１５によって常に上方に引張られていることから、図４に示すように、照明器具１０がコードＣ１によって上方に引張られて２点鎖線の如く鉛直方向に対して若干傾いてしまう。
【００１５】
そこで、図３に示すように、溝１９１ｂ，１９２ｂに照明器具１０近傍のワイヤＷ１を挟みながら、溝１９１ａ，１９２ａにコードＣ１を、この照明器具１０側を少し弛ませて挟んで（図３（ｂ））、調整具１９をコードＣ１およびワイヤＷ１に取り付けて固定する。
【００１６】
これにより、図５に示すように、コードＣ１がコードリール１５によって上方に引張られても、照明器具１０側の弛みが２点鎖線のように少なくなるだけで、照明器具１０は、コードＣ１によって上方に引張られることがなくなるので、鉛直方向に対してまっすぐ吊り下げられることとなる。
【００１７】
次に、本昇降機付照明器具の取付け手順について説明すると、まず、外部電源から先行配線された電線を引掛シーリング１２ａに接続し、この後、取付金具１２を天井に取り付ける。
【００１８】
次いで、引掛シーリング１２ａに接続器具１６を接続し、この後、昇降機本体１３の各貫通孔１３ａにねじ部１２ｂを挿通して、２個の袋ナットＮを用いて昇降機本体１３を取付金具１２にねじ止めする。これにより、昇降機１１が天井に取り付けられるとともに、コードＣ１およびワイヤＷ１を介して昇降機１１から照明器具１０が昇降可能に吊り下げられることになる。
【００１９】
次いで、カバー１７を天井側に移動させて、取付金具１２に取り付けられた昇降機本体１３、リーラ１４、コードリール１５および接続器具１６を閉塞する。
【００２０】
次いで、調整具１９の溝１９１ｂ，１９２ｂに照明器具１０近傍のワイヤＷ１を挟みながら、溝１９１ａ，１９２ａにコードＣ１を、この照明器具１０側を少し弛ませて挟んで、調整具１９をコードＣ１およびワイヤＷ１に取り付けて固定する。
【００２１】
以上、第１実施形態によれば、調整具１９により鉛直方向に沿った照明器具１０のまっすぐな吊下げが可能になる。
【００２２】
また、昇降機１１内に巻き取られるコードＣ１およびワイヤＷ１を介して、照明器具１０が天井から吊り下げられるので、照明器具１０の広い昇降可能範囲の実現が可能となる。
【００２３】
さらに、リーラ１４およびコードリール１５をそれぞれ１個使用する構成により、昇降機１１をコンパクトに構成することが可能になるとともに、昇降機付照明器具のコスト低減が可能になる。
【００２４】
図６は本発明の第２実施形態に係る昇降機付照明器具の斜視図、図７（ａ）および（ｂ）はそれぞれ第２実施形態の調整具の取付け前後の斜視図で、以下これらの図を用いて第２実施形態について説明する。
【００２５】
この昇降機付照明器具は、図６に示すように、第１実施形態と同様に昇降機１１を備えている他、鉛直方向の軸回りに対して対称形状でない箱状のかさを有する照明器具２０および第１実施形態の調整具１９とは異なる形状の調整具（傾き防止手段）２９を備えている。
【００２６】
この調整具２９は、図７に示すように、鉛直方向に亘ってＶ字カットされた円柱状の調整具本体２９１およびこの調整具本体２９１の上面に一体に形成された突起部２９２により構成されている。調整具本体２９１は、鉛直方向に沿った溝２９１ａを中心に有するとともに、照明器具２０の上端中央に形成された孔２０ａ周縁への嵌入用の溝２９１ｂを側面に有している。
【００２７】
このように構成された調整具２９は、孔２０ａ周縁への溝２９１ｂの嵌入によって照明器具２０の上端中央に予め取り付けられており、ワイヤＷ１およびコードＣ１の引出し点としての溝２９１ａおよびＶ字カットされた部分にそれぞれワイヤＷ１およびコードＣ１が挿通されている。また、照明器具２０に取り付けられた調整具２９は、鉛直方向の軸周りに回転可能になっている。
【００２８】
ここで、調整具２９の調整方法および作用について、図８〜図１０をさらに用いて説明すると、照明器具２０は、調整具２９の調整前、図８に示すように、昇降機１１の軸Ａ１に対して照明器具２０の軸Ａ２が角度αをなして吊り下げられ静止する場合がある。
【００２９】
このとき、例えば軸Ａ１と軸Ａ２とを揃えて照明器具２０を吊り下げたい場合には、図９（ｂ）に示すように調整具２９の突起部２９２を指で回して軸Ａ１と軸Ａ２とを揃えれば、図１０に示すように軸Ａ１と軸Ａ２とを揃えた状態で照明器具２０を吊り下げることが可能になる。
【００３０】
以上、第２実施形態によれば、第１実施形態と同様に、照明器具２０の広い昇降可能範囲の実現、昇降機１１のコンパクト構成および昇降機付照明器具のコスト低減が可能になる他、調整具２９によって照明器具２０がほぼ１点で吊り下げられるので、照明器具２０の鉛直方向に沿ったまっすぐな吊下げが可能になる。
【００３１】
また、照明器具２０を、吊下げ時において、鉛直方向の軸回りの所望する位置に静止させることが可能になる（照明器具のねじれ矯正効果）。
【００３２】
なお、上記第１および第２実施形態では、それぞれパラボラ状および箱状のかさを有する照明器具が使用される構成になっているが、別の所望形状のかさを有する照明器具を使用する構成でもよいことはいうまでもない。
【００３３】
また、上記第１および第２実施形態では、袋ナットＮが使用される構成になっているが、通常のナットを使用する構成でもよい。
【００３４】
【発明の効果】
以上のことから明らかなように、請求項１または請求項２に記載の発明によれば、鉛直方向に沿った照明器具のまっすぐな吊下げが可能になる。また、照明器具の広い昇降可能範囲の実現が可能になる。さらに、リーラおよびコードリールによりなる昇降機をコンパクトに構成することが可能になるとともにコストの低減が可能となる。
【００３５】
請求項３記載の発明によれば、照明器具を、吊下げ時において、鉛直方向の軸回りの所望する位置に静止させることが可能になる。
【図面の簡単な説明】
【図１】本発明の第１実施形態に係る昇降機付照明器具の斜視図である。
【図２】図１に示す昇降機の分解斜視図である。
【図３】（ａ）および（ｂ）はそれぞれ調整具の取付け前後の斜視図である。
【図４】調整具を使用しない場合に生じうる鉛直方向に対する照明器具の傾きの様子を示す図である。
【図５】調整具による図４の傾きが防止される様子を示す図である。
【図６】本発明の第２実施形態に係る昇降機付照明器具の斜視図である。
【図７】（ａ）および（ｂ）はそれぞれ第２実施形態の調整具の取付け前後の斜視図である。
【図８】調整具の調整前に生じうる照明器具の吊下げ状態を示す図である。
【図９】（ａ）および（ｂ）はそれぞれ横および上から見た調整具の調整方法を示す図である。
【図１０】調整具の調整によって所望の位置に合わされた照明器具の吊下げ状態を示す図である。
【図１１】従来の昇降機付照明器具の一例を示す図で、（ａ）は昇降機付照明器具の斜視図、（ｂ）は昇降機付照明器具に具備される昇降機の分解斜視図である。
【図１２】従来の昇降機付照明器具の別例を示す分解図である。
【符号の説明】
１０  照明器具
１１  昇降機
１２  取付金具
１３  昇降機本体
１４  リーラ
１５  コードリール
１６  接続器具
１７  カバー
１９  調整具
Ｗ１  ワイヤ
Ｃ１  コード
【図１】
0003938633.tif 000002
【図２】
0003938633.tif 000003
【図３】
0003938633.tif 000004
【図４】
0003938633.tif 000005
【図５】
0003938633.tif 000006
【図６】
0003938633.tif 000007
【図７】
0003938633.tif 000008
【図８】
0003938633.tif 000009
【図９】
0003938633.tif 000010
【図１０】
0003938633.tif 000011
【図１１】
0003938633.tif 000012
【図１２】
0003938633.tif 000013